(57)【要約】【課題】コンバージョン率を高めることで、商品や役務の提供についての販売に寄与するウェブページ提供装置およびウェブページ提供プログラムを提供する。【解決手段】ウェブページ提供装置は、リンクアドレスに基づいてアクセスする端末装置からの要求に応じて、商品または役務の提供を申し込む申込フォームＰ１３を備えたランディングページＬＰを送信する。ランディングページＬＰは、端末装置にて最初の画面範囲に表示されるファーストビューＦＶに含まれるタイトル領域Ｐ１１の下方であり、ファーストビューＦＶの次の画面範囲ＳＶに申込フォームＰ１１の一部または全部が含まれている。【選択図】図４
2019204217.tif 000002
【特許請求の範囲】
【請求項１】
リンクアドレスに基づいてアクセスする端末装置からの要求に応じて、商品または役務の提供を申し込む申込フォームを備えたランディングページを送信するウェブページ提供装置において、
前記端末装置にて最初の画面範囲に表示されるファーストビューに含まれるタイトル領域の下方であり、前記ファーストビューの次の画面範囲に前記申込フォームの一部または全部を含む前記ランディングページを生成して、前記端末装置へ送信するウェブページ生成手段を備えたウェブページ提供装置。
【請求項２】
前記ウェブページ生成手段は、前記端末装置にてスクロールされる前記ランディングページの表示位置に基づいて、前記申込フォームが前記端末装置の画面範囲に含まれたことが検出されると、前記端末装置の表示範囲に合わせた前記申込フォームを、前記端末装置へ送信する請求項１記載のウェブページ提供装置。
【請求項３】
前記ウェブページ生成手段は、前記申込フォームの各入力項目について、最初の入力項目から順に入力が完了する度に、次の入力項目を送信する請求項１記載のウェブページ提供装置。
【請求項４】
前記ウェブページ生成手段は、前記申込フォームによる申し込みに応じて申込確認表示を前記申込フォームに続けて送信する請求項１から３のいずれかの項に記載のウェブページ提供装置。
【請求項５】
コンピュータを、
リンクアドレスに基づいてアクセスする端末装置からの要求に応じて、商品または役務の提供を申し込む申込フォームを備えたランディングページを送信するウェブページ提供装置として機能させるウェブページ提供プログラムであって、
前記コンピュータを、
前記端末装置にて最初の画面範囲に表示されるファーストビューに含まれるタイトル領域の下方であり、前記ファーストビューの次の画面範囲に前記申込フォームの一部または全部を含む前記ランディングページを生成して、前記端末装置へ送信するウェブページ生成手段として機能させるウェブページ提供プログラム。
【発明の詳細な説明】
【技術分野】
【０００１】
本発明は、リンクアドレスに基づいてアクセスする端末装置からの要求に応じてランディングページを送信するウェブページ提供装置およびウェブページ提供プログラムに関するものである。
【背景技術】
【０００２】
インターネットを通じて行われる通信販売、いわゆるネット通販では、検索サイトによる検索結果から、他のサイトに掲載されたバナー広告やリンクから、または直接ＵＲＬを入力して、最初にアクセスされる、ランディングページが重要であると言われている。
【０００３】
ランディングページには商品や役務の紹介などが掲載されたページであるが、このような、ネット通販のためのウェブページが、非特許文献１〜３として知られている。
この非特許文献１〜３でのランディングページを閲覧した閲覧者が、説明部分を読んで商品が気に入り、試してみたいと思えば、サンプルの申し込みのためのアクションが行われる。
【０００４】
ここで、従来のランディングページについて、図面に基づいて、具体的に説明する。
図１に示す従来のランディングページは、無料モニターとして栄養ドリンクのサンプルが申し込めるページである。
従来のランディングページでは、このランディングページがどのようなウェブページであるかを示すタイトル画像Ｐ１１が最上段となるタイトル領域Ｓ１に配置されている。タイトル画像Ｐ１１の下には、申込フォームにアンカーリンクされたボタンＰ１２が配置されている。
【０００５】
タイトル領域Ｓ１の下には、商品をアピールするための文言およびイメージ画像と、申込フォームにジャンプするアンカーリンクが貼られたボタンＰ１５を備えた複数のセクションＳ２〜Ｓ８が配置されている。そして、最後に、申し込みを希望する閲覧者の個人情報を入力するための申込フォームＰ１３が配置されている。
【０００６】
申し込みは、閲覧者の氏名、商品の送付先などの個人情報を申込フォームＰ１３に入力し、申し込みボタンＰ１４をクリックする。申込フォームＰ１３は、ランディングページの最終位置に設けられているが、文章や画像で構成された説明の途中に、申込フォームＰ１３にジャンプするアンカーリンクが貼られたボタンＰ１５が設けられているため、このボタンをクリックすることで、簡単に申し込みを行うことができる。
【先行技術文献】
【非特許文献】
【０００７】
【非特許文献１】エーザイ株式会社、”今から製薬会社エーザイが開発したエイジングケアサプリ『美 チョコラ』の無料モニターを募集します！ | エーザイ”、［online］、［平成３０年５月２１日検索］、インターネット＜URL：https://cp.eisai.jp/p2_b_teiki_50_z8_enq1＞
【非特許文献２】株式会社ファンケル、”今から、スマホ、パソコンで1日中がんばる目に！ファンケル『えんきん』の500円モニターを募集します！ | 株式会社ファンケル”、［online］、［平成３０年５月２１日検索］、インターネット＜URL：https://u.fancl.co.jp/p2_ek_c＞
【非特許文献３】アンファー株式会社、”お急ぎください！スカルプD"男の青汁"の1週間500円モニターの締め切りが迫っています！ | アンファー”、［online］、［平成３０年５月２１日検索］、インターネット＜URL：https://cp.angfa-store.jp/p2_na_b＞
【発明の概要】
【発明が解決しようとする課題】
【０００８】
しかし、非特許文献１〜３のようなランディングページや、図１に示す従来のランディングページでは、商品のコンセプトや魅力を閲覧者に伝えるために、長尺なページとなりがちである。しかし、ランディングページを上から下までスクロールしながら閲覧していくうちに、閲覧者は説明に飽きてしまい、ランディングページの最終位置の申込フォームに辿り着く前に、離脱してしまう。
そうなると、閲覧者のうち、申し込みを行った閲覧者の数が少なくなり、コンバージョン率（成約率）が低下してしまう。
【０００９】
そこで本発明は、コンバージョン率を高めることで、商品や役務の提供についての販売に寄与するウェブページ提供装置およびウェブページ提供プログラムを提供することを目的とする。
【課題を解決するための手段】
【００１０】
本発明のウェブページ提供装置は、リンクアドレスに基づいてアクセスする端末装置からの要求に応じて、商品または役務の提供を申し込む申込フォームを備えたランディングページを送信するものであって、前記端末装置にて最初の画面範囲に表示されるファーストビューに含まれるタイトル領域の下方であり、前記ファーストビューの次の画面範囲に前記申込フォームの一部または全部を含む前記ランディングページを生成して、前記端末装置へ送信するウェブページ生成手段を備えたことを特徴とする。
【００１１】
また、本発明のウェブページ提供プログラムは、コンピュータを、リンクアドレスに基づいてアクセスする端末装置からの要求に応じて、商品または役務の提供を申し込む申込フォームを備えたランディングページを送信するウェブページ提供装置として機能させるものであって、前記コンピュータを、前記端末装置にて最初の画面範囲に表示されるファーストビューに含まれるタイトル領域の下方であり、前記ファーストビューの次の画面範囲に前記申込フォームの一部または全部を含む前記ランディングページを生成して、前記端末装置へ送信するウェブページ生成手段として機能させることを特徴とする。
【００１２】
本発明によれば、ランディングページのファーストビューの範囲が表示され、直ぐに申し込みたくなったときに、スクロールダウンすれば直ぐに申込フォームが表示されるので、離脱する閲覧者を減らすことができ、申込者を増加させることができる。
【００１３】
前記ウェブページ生成手段は、前記端末装置にてスクロールされる前記ランディングページの表示位置に基づいて、前記申込フォームが前記端末装置の画面範囲に含まれたことが検出されると、前記端末装置の表示範囲に合わせた前記申込フォームを、前記端末装置へ送信することができる。
閲覧者は、申し込みを行うときに、申込フォームが端末装置の画面範囲に含まれると、端末装置の表示範囲に合わせた申込フォームが表示されるため、申込フォームの入力項目の全体を把握することができる。従って、閲覧者は、入力に対する不安を解消することができる。
【００１４】
前記ウェブページ生成手段は、前記申込フォームの各入力項目について、最初の入力項目から順に入力が完了する度に、次の入力項目を送信することができる。
最初の入力項目から順に入力が完了する度に、次の入力項目が送信されるため、閲覧者が入力項目の多さに入力を諦めて離脱してしまうことを抑止することができる。
【００１５】
前記ウェブページ生成手段は、前記申込フォームによる申し込みに応じて申込確認表示を前記申込フォームに続けて送信することができる。
閲覧者が申込フォームにおける入力項目の確認の際に、容易に入力フォームの入力項目への修正変更ができるため、閲覧者が離脱してしまうことを抑止することもできる。
【発明の効果】
【００１６】
本発明は、ファーストビューからスクロールダウンすれば直ぐに申込フォームが表示されるため、離脱する閲覧者を減らすことができ、申込者を増加させることができるので、コンバージョン率を高めることで、商品や役務の提供についての販売に寄与することができる。
【図面の簡単な説明】
【００１７】
【図１】従来のランディングページを説明するための図である。
【図２】本発明の実施の形態に係るウェブページ提供装置が配送用管理サーバと端末装置とにインターネットを介して接続された状態を示す図である。
【図３】図２に示すウェブページ提供装置の構成を説明するための図である。
【図４】図２に示すウェブページ提供装置のウェブページ生成手段が提供するランディングページの一例の図である。
【図５】図４に示すランディングページの申込フォームを説明するための図である。
【図６】（Ａ）から（Ｃ）は、図２に示す端末装置に表示されるランディングページのファーストビューからスクロールして次の画面範囲に表示される申込フォームを説明するための図である。
【図７】端末装置での表示範囲が広いときに、ファーストビューとして表示されるランディングページの範囲を説明するための図である。
【図８】端末装置での表示範囲が狭いときに、ファーストビューとして表示されるランディングページの範囲を説明するための図である。
【図９】（Ａ）から（Ｃ）は、ランディングページをスクロールして申込フォームを表示するときの一例を説明するための図である。
【図１０】（Ａ）から（Ｃ）は、申込フォームの入力項目に入力すると、続く入力項目が順次表示されることを説明するための図である。
【図１１】（Ａ）および（Ｂ）は、図１０に続く申込フォームを説明するための図である。
【図１２】（Ａ）および（Ｂ）は、申込確認表示が表示される一例を説明するための図である。
【図１３】申込完了表示が表示される一例を説明するための図である。
【発明を実施するための形態】
【００１８】
本発明の実施の形態に係るウェブページ提供装置を図面に基づいて説明する。
図２に示す本発明の実施の形態に係るウェブページ提供装置１０は、電気通信回線の一例であるインターネットＷを介して端末装置２０（端末装置２１〜２３）と、配送用管理サーバ３０とに通信可能に接続されている。
端末装置２０は、デスクトップ型やノートブック型、パームトップ型、スマートフォンなどのウェブページの閲覧機能を有するコンピュータである。端末装置２０は、インターネットＷと、有線または無線により接続される。
配送用管理サーバ３０は、ウェブページ提供装置１０から送信された申込者の情報に基づいて、商品の配送を管理するコンピュータである。
【００１９】
ウェブページ提供装置１０は、ウェブページ提供プログラムを動作させることで、端末装置２０からの要求に応じたウェブページを端末装置２０に提供するコンピュータである。
ウェブページ提供装置１０は、図３に示すように、通信手段１１と、ウェブページ生成手段１２と、手配手段１３と、記憶手段１４とを備えている。
【００２０】
通信手段１１は、インターネットＷからの送信データを受信して、ウェブページ提供装置１０の各手段に出力したり、各手段からの出力データを入力して、インターネットＷへ送信したりする機能を備えている。
【００２１】
ウェブページ生成手段１２は、記憶手段１４からウェブページのデータを読み込み生成して、通信手段１１を介して要求元の端末装置２０へ送信する。本実施の形態では、ウェブページ生成手段１２は、閲覧者にサンプルを提供するウェブページを生成する。
手配手段１３は、サンプルを閲覧者に配送するために、後述する申込フォームに入力された個人情報を配送用管理サーバ３０へ送信する。
記憶手段１４は、ＯＳや各種設定データ、ウェブページ提供プログラムなどのアプリケーションソフト、ウェブページのデータが格納された不揮発性メモリである。記憶手段１４は、ハードディスクドライブやフラッシュメモリとすることができる。
【００２２】
以上のように構成された本発明の実施の形態に係るウェブページ提供装置１０の動作および使用状態について、図面に基づいて説明する。
【００２３】
（ランディングページの表示例）
図２に示すように、閲覧者は、端末装置２０を操作して、他のサイトに掲載されたバナー広告やリンクから、または直接ＵＲＬを入力して、ウェブページ提供装置１０が提供するサンプル提供サイトにアクセスする。
ウェブページ提供装置１０では、図３に示すウェブページ生成手段１２が、記憶手段１４から、端末装置２０（図２参照）が最初にアクセスするランディングページＬＰ（図４参照）を読み込み、通信手段１１を介して端末装置２０へ送信する。
【００２４】
図４に示すランディングページＬＰでは、ファーストビューＦＶと称される画面範囲が、端末装置２０に最初に表示される（図６（Ａ）参照）。
このファーストビューＦＶには、このランディングページＬＰがどのようなウェブページであるかを示すタイトル画像Ｐ１１が最上段となるタイトル領域Ｓ１に配置され、タイトル画像Ｐ１１の下に、後述する申込フォームにアンカーリンクされたボタンＰ１２が配置されている。
【００２５】
ファーストビューＦＶに含まれるタイトル領域Ｓ１の下方（ボタンＰ１２の直下）であり、ファーストビューＦＶの次の画面範囲ＳＶに申込フォームＰ１３が配置されている。
申込フォームＰ１３は、図５に示すように、説明欄Ｆ１と、入力項目として、氏名欄Ｆ２と、住所欄Ｆ３と、電話番号欄Ｆ４、メールアドレス欄Ｆ５と、性別欄Ｆ６と、生年月日欄Ｆ７と、同意欄Ｆ８と、申込ボタンＰ１４とを備えている。
【００２６】
申込ボタンＰ１４の下方には、図１に示す従来のランディングページと同様に、商品をアピールするための文言およびイメージ画像と、申込フォームＰ１３にジャンプするアンカーリンクが貼られたボタンＰ１５を備えた複数のセクションＳ２〜Ｓ８が配置されている。
【００２７】
閲覧者は、端末装置２０に表示された図６（Ａ）に示すファーストビューＦＶを見て興味を持ち、端末装置２０を操作してスクロールダウンすると、図６（Ｂ）に示すようにランディングページＬＰが上側へ移動する。そして、図４に示す次の画面範囲ＳＶまでランディングページＬＰが移動すると、図６（Ｃ）に示すように端末装置２０には申込フォームＰ１３が表示される。
【００２８】
例えば、非特許文献１〜３に記載のランディングページや、図１に示す従来のランディングページでは、申込みフォームがランディングページの最後に位置していた。そのため、閲覧者はランディングページをスクロールダウンしているうちに、ランディングページに掲載された説明に飽きてしまい、最終位置の申込フォームに辿り着く前に、ランディングページから離脱することがあった。
【００２９】
しかし、本実施の形態に係るランディングページＬＰでは、図３に示すウェブページ生成手段１２が、図６（Ａ）〜同図（Ｃ）に示すように、ランディングページＬＰに、ファーストビューＦＶに含まれるタイトル領域Ｓ１の下方であり、ファーストビューＦＶの次の画面範囲ＳＶに申込フォームＰ１３を含むランディングページを生成して、図２に示す端末装置２０へ送信している。
そのため、ランディングページＬＰのファーストビューＦＶの範囲が表示され、直ぐに申し込みたくなったときに、スクロールダウンすれば直ぐに申込フォームＰ１３が表示されるので、離脱する閲覧者を減らすことができ、申込者を増加させることができる。
従って、ウェブページ提供装置１０は、コンバージョン率を高めることができ、サンプルを試した申込者は次の購入に進むことにより、商品の販売に寄与することができる。
【００３０】
（申込フォームの変形例１）
本実施の形態では、図６（Ａ）に示すように、ファーストビューＦＶに、タイトル画像Ｐ１１とボタンＰ１２とが表示され、次の画面範囲ＳＶとして申込フォームＰ１３が表示される。
しかし、端末装置２０の画面サイズ、ブラウザの表示範囲によっては、図７に示すように、ファーストビューＦＶの下部に申込フォームＰ１３の先頭部分が表示され、次の画面範囲ＳＶに申込フォームＰ１３の続き部分が表示されたり、図８に示すように、ファーストビューＦＶにタイトル画像Ｐ１１が表示され、次の画面範囲ＳＶにボタンＰ１２と一緒に申込フォームＰ１３の先頭部分が表示されたりすることがある。
【００３１】
しかし、本発明では、ランディングページＬＰが表示されたファーストビューＦＶから、閲覧者がスクロール操作して、次の画面範囲ＳＶとなったときに、申込フォームＰ１３の一部または全部が表示されるようなランディングページＬＰであれば、ファーストビューＦＶのタイトル領域を閲覧した後に直ぐに申込フォームＰ１３が現れるため、本発明の効果を得ることができる。
【００３２】
本実施の形態では、端末装置２０のスクロール操作に応じて、ランディングページＬＰが上から下へ、下から上へ移動して、図５に示す申込フォームＰ１３が順次、端末装置２０の下部から、上部の説明欄Ｆ１から表示されたり、端末装置２０の上部から、下部の同意欄Ｆ８から表示されたりする。
このように、ランディングページＬＰをスクロールしながら申込フォームＰ１３を入力していると、どこまで入力しなければならないのかが不明なままに入力を続けることになるため、閲覧者は、入力している最中に、このサイトから離脱するおそれがある。
【００３３】
例えば、図９（Ａ）に示すファーストビューＦＶを、端末装置２０を操作してスクロールダウンしたときに、図９（Ｂ）に示すように申込フォームＰ１３が端末装置２０に表示される画面範囲に含まれたことが検出されると、ウェブページ生成手段１２が、図９（Ｃ）に示すように端末装置２０の画面範囲に合わせた申込フォームＰ１３を端末装置２０へ送信する。図６（Ｃ）では、申込フォームＰ１３が、メールアドレス欄Ｆ５の途中から画面の表示範囲（次の画面範囲ＳＶ）を外れているが、図９（Ｃ）では、申込フォームＰ１３全体が表示範囲に入っている。
【００３４】
そうすることで、閲覧者は、申し込みを行うときに、申込フォームＰ１３の入力項目の全体を把握することができるため、入力に対する不安を解消することができるので、コンバージョン率を向上させることができる。
【００３５】
端末装置２０に表示される画面範囲に含まれたか否かは、まず、ウェブページ生成手段１２が、ランディングページＬＰに含まれる、表示位置取得手段として機能するプログラム（例えば、ｊａｖａＳｃｒｉｐｔ等）によりランディングページＬＰのスクロール位置を取得する。
次に、ウェブページ生成手段１２は、このスクロール位置に基づいて申込フォームＰ１３が端末装置２０に表示される画面範囲に含まれたか否かを判定することにより、判断することができる。
【００３６】
（申込フォームの変形例２）
申込フォームＰ１３は、図１０（Ａ）に示すように、申込フォームＰ１３１は、当初、説明欄Ｆ１および氏名欄Ｆ２だけが表示され、他の申込フォームの領域は隠れている。閲覧者が、入力項目である氏名欄Ｆ２の入力が完了すると、ウェブページ生成手段１２が、図１０（Ｂ）に示すように、申込フォームＰ１３２として、次の入力項目である住所欄Ｆ３を氏名欄Ｆ２に続けて表示する。
【００３７】
ここで、入力項目への入力の完了について説明する。
入力項目への入力の完了は、入力項目が未入力かまたは文字が入力されているかで判断できる。例えば、氏名欄Ｆ２が、漢字による「氏」、「名」と、片仮名による「氏」、「名」の４つの欄から構成されている場合には、４つの欄の全てに、何らかの文字が入力されることにより、入力の完了を判定することができる。
【００３８】
図１０（Ｃ）に示すように、住所欄Ｆ３が入力されると電話番号欄Ｆ４が表示され、電話番号欄Ｆ４が入力されるとメールアドレス欄Ｆ５が表示され、メールアドレス欄Ｆ５が入力されると性別欄Ｆ６が表示され、性別欄Ｆ６が入力されると生年月日欄Ｆ７が表示される。
【００３９】
申込フォームＰ１３１の個人情報入力欄（氏名欄Ｆ２〜生年月日欄Ｆ７）の入力が完了すると、図１１（Ａ）に示すように、同意欄Ｆ８が表示される。
同意欄Ｆ８が入力されると、図１１（Ｂ）に示すように、ウェブページ生成手段１２は申込ボタンＰ１４を表示することで、全部の申込フォームＰ１３が表示される。
【００４０】
このように、ウェブページ生成手段１２が申込フォームの各入力項目について、最初の入力項目から順に入力が完了する度に、次の入力項目を送信して、端末装置２０に表示されるため、閲覧者が入力項目の多さに入力を諦めて離脱してしまうことを抑止することができる。
【００４１】
（申込内容の確認および申込の完了）
閲覧者がランディングページＬＰを閲覧して、サンプルの提供を受ける場合には、図１２（Ａ）に示すように、申込フォームＰ１３の各入力項目に個人情報を入力して、申込ボタンＰ１４を押下する。
申込ボタンＰ１４を押下したことが端末装置２０からウェブページ提供装置１０へ送信されると、ウェブページ提供装置１０では、ウェブページ生成手段１２が記憶手段１４から申込確認表示Ｐ２を読み込み、図１２（Ｂ）に示すように、申込確認表示Ｐ２を、申込フォームＰ１３の直下に、ランディングページＬＰの一部として配置して通信手段１１を介して端末装置２０へ送信する。
【００４２】
このとき、ウェブページ生成手段１２は、ランディングページＬＰにおける申込ボタンＰ１４より下のセクションＳ２〜Ｓ８（図４参照）は除外することができる。
また、セクションＳ２〜Ｓ８をそのまま残した状態で、申込ボタンＰ１４とセクションＳ２〜Ｓ８との間に、申込確認表示Ｐ２を配置することもできる。
【００４３】
申込確認表示Ｐ２には、申込フォームＰ１３の各入力項目に入力された文字が表示されていると共に、商品をアピールするための文言およびイメージ画像が配置されている。
そして、申込確認表示Ｐ２には、閲覧者にサンプルの申し込みについて最終的な確認をさせるためのサンプル申込確認ボタンＰ２１と、商品の購入ができるページへ遷移するための商品購入ボタンＰ２２が配置されている。
【００４４】
閲覧者は、申込フォームＰ１３の入力項目について間違いが無いことを、申込確認表示Ｐ２で確認でき、間違っていたときには、再入力をページ遷移することなく、スクロールアップにより申込フォームＰ１３へ移動することができる。
【００４５】
従来では、申込ページから申込ボタンを押下すると、別ページとしての申込確認ページが用意されており、申込確認ページから申込ページに戻るための「戻る」ボタンが用意されていた。
しかし、本実施の形態では、図１２（Ｂ）に示すように、申込フォームＰ１３の下に申込確認表示Ｐ２が配置される。
従って、図１２（Ｂ）に示す申込確認表示Ｐ２が申込フォームＰ１３と同じページに表示されるため、申込確認ページから申込ページに戻る際に、誤ってブラウザの「戻る」ボタンにより入力項目が無効になることがない。また、申込確認ページに「戻る」ボタンを設ける必要がない。
【００４６】
また、閲覧者が「戻る」ボタンを押下するために、マウスを移動させ、マウスポインタを「戻る」ボタン上に位置させるより、例えば、図１２（Ｂ）に示す申込確認表示Ｐ２のように、スクロールするためにマウスに設けられたホイールを回して申込フォームへ移動する方が、操作が簡便である。
従って、閲覧者が申込フォームＰ１３における入力項目の確認の際に、容易に申込フォームＰ１３の入力項目への修正変更ができるため、閲覧者が離脱してしまうことを抑止することもできる。
【００４７】
更に、申込確認表示Ｐ２には、商品の購入ができるページへ遷移するための商品購入ボタンＰ２２が配置されているので、商品をアピールするための文言およびイメージ画像を閲覧して、購入を思い立った閲覧者は、ページを遷移することなく、そのまま商品購入ボタンＰ２２を押下して購入することができる。従って、商品の購入を促進させることができる。
【００４８】
申込確認表示Ｐ２により入力項目の確認が完了した閲覧者は、サンプル申込確認ボタンＰ２１を押下する。そうすることで、サンプル申込確認ボタンＰ２１を押下したことが端末装置２０からウェブページ提供装置１０へ送信される。
ウェブページ提供装置１０では、図３に示す手配手段１３が配送用管理サーバ３０へ、配送先情報となる申込フォームＰ１３（図５参照）に入力された個人情報を送信する。
また、ウェブページ生成手段１２が記憶手段１４から図１３に示す申込完了表示Ｐ３を読み込み、申込完了表示Ｐ３を別ページとして、通信手段１１を介して端末装置２０へ送信する。
【００４９】
申込完了表示Ｐ３には、申し込みが完了したことを示す表示と、この商品を家族や知人に紹介するための紹介用ボタンＰ３１が配置されている。
【００５０】
このように、申し込みが完了したことを示す申込完了表示Ｐ３が、申込確認表示Ｐ２の続きでは無く、別ページとして表示されるため、サンプルの申し込みが取り消せないことを閲覧者に認識させることができる。
【００５１】
以上、本発明の実施の形態に係るウェブページ提供装置１０を説明した。
本実施の形態では、図４に示すランディングページＬＰがサンプルを提供するページであったが、商品を購入したり、役務の提供を購入したりするページでもよい。
また、図１２に示す申込確認表示Ｐ２では、サンプル申込確認ボタンＰ２１の他に、商品購入ボタンＰ２２が配置されているが、商品購入ボタンＰ２２は省略されていてもよい。
【産業上の利用可能性】
【００５２】
本発明は、サンプルを提供したり役務の試用を提供したりするＥＣサイトだけでなく、商品や役務の販売を行うＥＣサイトに好適である。
【符号の説明】
【００５３】
１０  ウェブページ提供装置
１１  通信手段
１２  ウェブページ生成手段
１３  手配手段
１４  記憶手段
２０，２１，２２  端末装置
３０  配送用管理サーバ
ＬＰ  ランディングページ
ＦＶ  ファーストビュー
Ｓ１  タイトル領域
ＳＶ  次の画面範囲
Ｓ２〜Ｓ８  セクション
Ｐ１１  タイトル画像
Ｐ１２  ボタン
Ｐ１３，Ｐ１３１，Ｐ１３２  申込フォーム
Ｐ１４  申込ボタン
Ｐ１５  ボタン
Ｆ１  説明欄
Ｆ２  氏名欄
Ｆ３  住所欄
Ｆ４  電話番号欄
Ｆ５  メールアドレス欄
Ｆ６  性別欄
Ｆ７  生年月日欄
Ｆ８  同意欄
Ｐ２  申込確認表示
Ｐ２１  サンプル申込確認ボタン
Ｐ２２  商品購入ボタン
Ｐ３  申込完了表示
Ｐ３１  紹介用ボタン
Ｗ  インターネット
【図１】
2019204217.tif 000003
【図２】
2019204217.tif 000004
【図３】
2019204217.tif 000005
【図４】
2019204217.tif 000006
【図５】
2019204217.tif 000007
【図６】
2019204217.tif 000008
【図７】
2019204217.tif 000009
【図８】
2019204217.tif 000010
【図９】
2019204217.tif 000011
【図１０】
2019204217.tif 000012
【図１１】
2019204217.tif 000013
【図１２】
2019204217.tif 000014
【図１３】
2019204217.tif 000015